(57)【特許請求の範囲】
【請求項１】
商品を収納する収納庫内を冷却室と加温室に仕切る自動販売機の仕切板であって、
前記冷却室および前記加温室は、複数の商品を上下方向に並んだ状態で収納するとともに、販売時に最下位の商品を販売商品として払い出すように構成されており、
上下方向に延びるとともに向かい合う２枚の板部と、これら２枚の板部の周縁部間に設けられ、これら２枚の板部と共にほぼ閉塞状態の内部空間を画成する周壁部と、を有し、一方の前記板部が前記冷却室に、他方の前記板部が前記加温室にそれぞれ面するように配置された枠体と、
断熱芯材と、この断熱芯材を真空状態に密閉したフイルム容器と、を有し、前記枠体の前記一方の板部に密着し、前記他方の板部から離れた状態で、前記枠体の前記内部空間の下部に配置された真空断熱体と、
前記枠体の前記内部空間に充填された断熱体と、
を備えることを特徴とする自動販売機の仕切板。
【請求項２】
前記断熱芯材は、ガラス繊維、石綿、ケイ酸カルシウム、発泡ポリウレタンおよび発泡ポリスチレンの１つであることを特徴とする請求項１に記載の自動販売機の仕切板。
【請求項３】
前記断熱体は、ガラス繊維、石綿、ケイ酸カルシウム、発泡ポリウレタンおよび発泡ポリスチレンの１つであることを特徴とする請求項１または２に記載の自動販売機の仕切板。
【発明の詳細な説明】
【０００１】
【発明の属する技術分野】
本発明は、保温性を確保するために自動販売機の収納庫に用いられる、真空断熱体を備えた自動販売機の仕切板に関する。
【０００２】
【従来の技術】
従来、この種の仕切板として、図５に示すものが知られている（例えば、特公平４ー１２２２０号公報）。この仕切板５０は、枠体５１と、この枠体５１の内部に収容された真空断熱体５２と、を備えている。枠体５１は、互いに平行な２枚の側板部５１ａ，５１ｂを有しており、真空断熱体５２は、枠体５１内に充填された発泡ポリウレタン５３によって、これら側板部５１ａ，５１ｂに対して適切な間隔の位置に固定されている。また、真空断熱体５２は、発泡ウレタンからなる芯材５２ａと、この芯材５２ａを真空状態に密封したラミネートフイルム容器５２ｂと、を備えている。ラミネートフィルム容器５２ｂは、プラスチック、金属箔および金属蒸着フィルムを積層し、密封した袋状のものであり、密封時に真空に引くことによって内部が真空状態に保持されている。
【０００３】
この真空断熱体５２と発泡ポリウレタン５３を比較すると、真空断熱体５２は、その内部が真空であることによって発泡ポリウレタン５３よりも高い断熱性を有している。しかし、真空断熱体５２は、上記ラミネートフィルム容器５２ｂの分だけ、発泡ポリウレタン５３よりも部品点数が多く、製造工程も多いことによって、製造コストがかなり高い。このため、上記仕切板５０では、真空断熱体５２を、枠体５１の内部空間全体ではなく部分的に配置し、その他の部分には、発泡ポリウレタン５３を充填した構造とすることによって、比較的低い製造コストで優れた断熱性を確保している。
【０００４】
【発明が解決しようとする課題】
自動販売機には、暖かい商品および冷たい商品を１つの自動販売機で販売するために、収納した商品を加温する加温室と、商品を冷却する冷却室とを収納庫に併設すると共に、上記仕切板５０によって、これらの加温室と冷却室の間を仕切っているものがある。このように仕切板５０を配置した場合には、加温室内の熱によって真空断熱体５２およびその芯材５２ａが暖められ、芯材５２ａから水や２酸化炭素ガスなどが発生することがある。これらの水や２酸化炭素ガスなどが発生した場合、真空断熱体５２内の真空度が低下し、その断熱性が低下することによって、熱リークが発生し、加温室内の温度低下や冷却室内の温度上昇などを招く。これによって、自動販売機の収納庫における冷却効率および加温効率が低下し、消費電力量などのランニングコストが増大するという問題がある。真空断熱体５２には、ゲッターと呼ばれる吸着材を芯材５２ａに内蔵し、これによって上記水や各種ガスを吸着するようにしたものがあるが、ゲッターの吸着能力には限界がある。特に、ゲッターの吸着能力は、時間経過に伴って低下するので、断熱性の低下は避けられない。
【０００５】
本発明は、上記課題を解決するためになされたもので、冷却室と加温室を仕切るように配置した場合でも、断熱性を向上させることができる自動販売機の仕切板を提供することを目的とする。
【０００６】
【課題を解決するための手段】
請求項１の自動販売機の仕切板は、商品を収納する収納庫内を冷却室と加温室に仕切る自動販売機の仕切板であって、冷却室および加温室は、複数の商品を上下方向に並んだ状態で収納するとともに、販売時に最下位の商品を販売商品として払い出すように構成されており、上下方向に延びるとともに向かい合う２枚の板部と、これら２枚の板部の周縁部間に設けられ、これら２枚の板部と共にほぼ閉塞状態の内部空間を画成する周壁部と、を有し、一方の板部が冷却室に、他方の板部が加温室にそれぞれ面するように配置された枠体と、断熱芯材と、この断熱芯材を真空状態に密閉したフイルム容器と、を有し、枠体の一方の板部に密着し、他方の板部から離れた状態で、枠体の内部空間の下部に配置された真空断熱体と、枠体の内部空間に充填された断熱体と、を備えることを特徴とする。
【０００７】
この自動販売機の仕切板では、一方の板部が冷却室に、他方の板部が加温室にそれぞれ面するように枠体が配置され、真空断熱体が一方の板部に密着し、他方の板部から離れていると共に、枠体の内部空間に断熱体が充填されているので、真空断熱体と加温室の間に断熱体が介在し、さらに真空断熱体と冷却室の距離が近くなることによって、真空断熱体が加温室の熱気によって加温されにくく、かつ冷却室の冷気によって冷却されやすくなる。これによって、従来と同じ厚みの仕切板を用いた場合でも、真空断熱体の断熱芯材から水や２酸化炭素ガスなどが発生しにくくなり、真空断熱体の断熱性が低下しなくなることによって、仕切板の断熱性を向上させることができる。したがって、自動販売機の収納庫における冷却効率および加温効率が向上し、消費電力量などのランニングコストを削減することができる。
【０００８】
上記において、断熱芯材は、ガラス繊維、石綿、ケイ酸カルシウム、発泡ポリウレタンおよび発泡ポリスチレンの１つであることが好ましい。
【０００９】
この自動販売機の仕切板によれば、真空断熱体の断熱芯材を、断熱性に優れ、一般的で入手が容易な上記材質のうちの１つによって構成することができる。
【００１０】
また、上記において、断熱体は、ガラス繊維、石綿、ケイ酸カルシウム、発泡ウレタンおよび発泡スチレンの１つであることが好ましい。
【００１１】
この自動販売機の仕切板によれば、２枚の板部の間に充填する断熱体を、断熱性に優れ、一般的で入手が容易な上記材質のうちの１つによって構成することができる。
【００１２】
【発明の実施の形態】
以下、添付図面を参照しながら、本発明の一実施形態に係る自動販売機の仕切板について説明する。図１に示すように、自動販売機２には、販売機本体２ａ内に収納庫３が配置されており、この収納庫３は、側壁部３ａと、天壁部３ｂと、底壁部３ｃと、背壁部３ｄとを備えている。これらの壁部３ａ〜３ｄによって画成された内部空間は、２枚の仕切板１，１ｘによって左、中央、右の３つの収納室４ａ〜４ｃに仕切られており、左収納室４ａは、冷却専用の冷却室として使用される。また、中央および右収納室４ｂ，４ｃは、冷却および加温兼用の兼用室であり、必要に応じて冷却室と加温室に切り換えて使用される。本実施形態では、中央収納室４ｂが加温室として使用されている場合について説明する。
【００１３】
これらの収納室４ａ〜４ｃには、商品コラムがそれぞれ収容されており、これらの商品コラムは、上下方向に商品を収納していると共に、販売時に収納した商品のうち、最下位の商品を販売商品として下方に払い出すようになっている。また、各収納室４の下部には、エバポレータなどを備える冷却装置とヒータが設けられており、さらに、これらによって加温または冷却された空気を商品コラム側に送るファンが設けられている（いずれも図示せず）。
【００１４】
図２および図３に示すように、冷却室（左収納室）４ａと加温室（中央収納室）４ｂを仕切っている仕切板１は、上下方向に延びる長方形状のものであり、２枚の側板部（板部）１０，１０と、これらの側板部１０，１０の周縁部間に設けられた周壁部１１とを備えている。これらの側板部１０，１０および周壁部１１によって画成される枠体１ａの内部空間には、真空断熱体２０が収容され、さらに、真空断熱体２０を包み込むように発泡ポリウレタン（断熱体）１２が充填されている。側板部１０，１０および周壁部１１はそれぞれ、鋼板を加工することによって製作されており、枠体１ａは、これらを組み合わせ、固定することによって組み立てられている。仕切板１の上縁の周壁部１１には、孔１１ａが形成されており、この孔１１ａは、発泡ポリウレタン１２を充填する際に、注入孔として利用される。
【００１５】
また、図２に示すように、各側板部１０の中央部には、スリット列１３が形成されており、このスリット列１３では、前後方向に並んだ複数のスリットを１列として、上中下計３列のスリット列１３が互いに平行に並んでいる。また、上スリット列１３と中スリット列１３とは、各々のスリット位置がほぼ半ピッチずつ前後方向にずれており、中スリット列１３および下スリット列１３の各々のスリット位置も、同様にずれている。したがって、鋼板製の側板部１０を介して上下方向に熱伝導が生じる場合に、スリット列１３がない場合よりも、熱の伝導距離が長くなるので、収納室４の下部からファンによって送られる熱気または冷気が、鋼板製の側板部１０を介して上方に伝わりにくくなっている。また、収納庫３の側壁部３ａにも、同様のスリット列１３が、側板部１０のスリット列１３と同じ高さおよび配置で形成されている。
【００１６】
図３に示すように、真空断熱体２０は、２枚の側板部１０ａ，１０ｂのうちの冷却室４ａに面した側板部１０ａに密着し、加温室４ｂに面した側板部１０ｂから離れた状態で枠体１ａ内に収容されている。さらに、この真空断熱体２０は、図２に示すように、上記スリット列１３より下方の仕切板１の下半部に、仕切板１の下縁および前後縁の周壁部１１との間に、ある程度の間隔を備えた状態で配置されている。
【００１７】
発泡ポリウレタン１２は、仕切板１の製造時に、原料であるジイソシアネート、ポリオールおよび触媒を反応させながら、上記孔１１ａを介して注入する（ワンショット成形）ことによって、枠体１ａ内に充填されている。この発泡ポリウレタン１２を枠体１ａ内に充填する際に、発泡ポリウレタン１２が真空断熱体２０の四方の空間に入り込むことによって、真空断熱体２０は、枠体１ａ内に固定されている。
【００１８】
図４に示すように、真空断熱体２０は、芯材（断熱芯材）２１と、この芯材２１を密封するフィルム容器２２と、芯材２１内に埋め込まれたゲッター２３とを備えている。芯材２１は、全体に連続気泡が形成された発泡ポリウレタン製のものであり、９９．７％前後の高い連続気泡率を備えている。フィルム容器２２は、ナイロンと、アルミニウム蒸着ＰＥＴ（ポリエチレンテフタレート）と、アルミニウム箔と、ＨＤＰＥ（高密度ポリエチレン）とをそれぞれ積層した４層構造のラミネートフィルムからなる袋であり、芯材２１をその内部に密封する際に真空に引くことによって内部が真空状態に保持されている。ゲッター２３は、芯材２２から発生する水蒸気と２酸化炭素ガスを吸着することによって真空度の低下を防ぐためのものであり、酸化カルシウムなどで構成されている。
【００１９】
この真空断熱体２０の熱伝導率（単位はｋｃａｌ／ｍｈｒ℃）を他の断熱材のものと比べた場合に、スチロール材が０．０２８、発泡ポリウレタン材が０．０１７であるのに対して、真空断熱体２０は、０．００８と一桁低い値である。このように真空断熱体２０は、熱伝導率がかなり低く、言い換えれば、高い断熱性を備えている。
【００２０】
このように高い断熱性の真空断熱体２０が、仕切板１のスリット列１３より下方の下半部に配置されているので、冷却室４ａを下半部と上半部の２つのゾーンに分けた場合、自動販売機２の運転時に、下半部のゾーンにおける冷却室４ａと加温室４ｂの間の熱伝導が発生しにくくなる。これに加えて、仕切板１の側板部１０ａおよび収納庫３の側壁部３ａに、スリット列１３が形成されているので、上下方向の熱伝導が発生しにくくなる。したがって、下半部のゾーンがより効率的に冷却される。
【００２１】
以上のように構成された本実施形態の仕切板１によれば、真空断熱体２０が冷却室４ａに面する側板部１０ａに密着しており、さらに加温室４ｂに面する側板部１０ｂと真空断熱体２０の間に発泡ポリウレタン１２が充填されているので、加温室４ｂの熱が真空断熱体２０に伝わりにくくなり、かつ冷却室４ａに近いことによってその冷気により真空断熱体２０が冷やされやすい。これにより、真空断熱体２０の芯材２１から水や２酸化炭素ガスなどが発生しにくくなることによって、真空断熱体２０の断熱性が向上する。したがって、従来と同じ厚みの仕切板１で、冷却室４ａと加温室４ｂを仕切るようにした場合でも、その断熱性を向上させることができる。また、芯材２１を、断熱性に優れ、一般的で入手が容易な発泡ポリウレタンで構成できるとともに、側板部１０，１０の間に断熱性に優れ、一般的で入手が容易な発泡ポリウレタン１２を充填することにより仕切板１を構成できる。
【００２２】
なお、上記実施形態においては、真空断熱体２０の芯材２１として、発泡ポリウレタンを用いたが、これに限らず、ガラス繊維、石綿、ケイ酸カルシウム、および発泡ポリスチレンの１つなど、適切な断熱性を備えるものであればよい。また、仕切板１内に発泡ポリウレタン１２を充填するようにしたが、これ限らず、ガラス繊維、石綿、ケイ酸カルシウム、および発泡ポリスチレンの１つを充填してもよく、適切な断熱性を備えるものであればよい。
【００２３】
【発明の効果】
以上のように、本発明の仕切板によれば、冷却室と加温室を仕切るように配置した場合でも、断熱性を向上させることができる。
【図面の簡単な説明】
【図１】本発明の一実施形態に係る仕切板としての仕切板を備えた自動販売機の収納庫の外観を示す斜視図である。
【図２】仕切板の側面図である。
【図３】図２のＡ−Ａ断面図である。
【図４】真空断熱体の断面構造を示す模式図である。
【図５】従来の仕切板の構造を示す断面図である。
【符号の説明】
１    仕切板
１ａ  枠体
２    自動販売機
４ａ  冷却室
４ｂ  加温室
１０    側板部（板部）
１０ａ  側板部（一方の板部）
１０ｂ  側板部（他方の板部）
１１    周壁部
１２    発泡ポリウレタン（断熱体）
２０    真空断熱体
２１    芯材（断熱芯材）
【図１】
0003800776.tif 000002
【図２】
0003800776.tif 000003
【図３】
0003800776.tif 000004
【図４】
0003800776.tif 000005
【図５】
0003800776.tif 000006